(57)【要約】【課題】  災害時に体育館等の屋内に設営されて避難室として用いられるテント形式の屋内設置室であって、設営が容易で、通気性に優れ、それでいてプライバシーを確保できる様にする。  【解決手段】  箱状の空間Ａを形成するフレーム２と、フレーム２に被せられてこれの天面Ｂと側面Ｃを覆うシート３とを備え、前記シート３は、天面１６が網目状であると共に、側面１７が不透明であり、シート３の側面１７には、少なくとも一つの出入口１８が形成されている。フレーム２は、枠状を呈してその大きさが拡縮可能な天枠体４と、天枠体４に高さ方向に伸縮可能に設けられた適数の支柱５とを備えている。【選択図】        図１
2005155062.tif 000002
【特許請求の範囲】
【請求項１】
箱状の空間を形成するフレームと、フレームに被せられてこれの天面と側面を覆うシートとを備え、前記シートは、天面が網目状であると共に、側面が不透明であり、シートの側面には、少なくとも一つの出入口が形成されている事を特徴とする屋内設置室。
【請求項２】
フレームは、枠状を呈してその大きさが拡縮可能な天枠体と、天枠体に高さ方向に伸縮可能に設けられた適数の支柱とを備えている請求項１に記載の屋内設置室。
【発明の詳細な説明】
【技術分野】
【０００１】
本発明は、例えば災害時に体育館等の屋内に設営されて避難室として用いられるテント形式の屋内設置室に関する。
【背景技術】
【０００２】
従来に於ては、この種の屋内設置室に関するものがなかったが、屋外で使用されるテント形式の更衣室や通気性を考慮したテントとしては、次の様なものが知られていた。
（１）  天面シートがなく側面シートのみを備えたもの（特許文献１〜２）。
（２）  天面シートと側面シートを備え、側面シートを網目状にしたもの（特許文献３）。
（３）  天面シートと側面シートを備え、両シートを網目状にしたもの（特許文献４）。
（４）  天面シートと側面シートを備え、天面シートは、防水シートにすると共に、側面シートは、網目状シートと防水シートの二重構造にしたもの（特許文献５）。
【０００３】
【特許文献１】実開昭５６−２７０２８号公報
【特許文献２】実開昭６３−１５１６６３号公報
【特許文献３】実公平７−２１７５６号公報
【特許文献４】特許第２８１６６６１号公報
【特許文献５】特開平１１−２７０１９０号公報
【発明の開示】
【発明が解決しようとする課題】
【０００４】
ところが、前記（１）のものは、不透明な側面シートを備えているので、プライバシーを確保できるものの、フレームに側面シートを逐一取付けねばならなかったので、設営に手間と時間が掛かる難点があった。勿論、天面シートを備えていないので、虫等の侵入を許すものとなっていた。前記（２）及び（３）のものは、側面シートが網目状であるので、通気性には優れているものの、内部が透けて見えるので、プライバシーを確保する事ができなかった。前記（４）のものは、側面シートを網目状シートだけにした場合には、通気性に優れているものの、内部が透けて見えるので、プライバシーを確保する事ができないと共に、側面シートを網目状シートとこれの外側に重ねられた防水シートとにした場合には、不透明になるので、プライバシーを確保する事ができるものの、通気性が悪い難点があった。
この様に、従来の何れのものも、一長一短があり、設営が容易で、通気性に優れ、それでいてプライバシーを確保できるものがなかった。
【０００５】
本発明は、叙上の問題点に鑑み、これを解消する為に創案されたもので、その課題とする処は、設営が容易で、通気性に優れ、それでいてプライバシーを確保できる屋内設置室を提供するにある。
【課題を解決するための手段】
【０００６】
本発明の屋内設置室は、基本的には、箱状の空間を形成するフレームと、フレームに被せられてこれの天面と側面を覆うシートとを備え、前記シートは、天面が網目状であると共に、側面が不透明であり、シートの側面には、少なくとも一つの出入口が形成されている事に特徴が存する。
【０００７】
シートをフレームに被せるだけでフレームの天面と側面を覆う事ができるので、シートの装着が容易になり、延いては屋内設置室の設営が容易に行える。
シートの天面が網目状にしてあるので、通気性や採光性が向上される。勿論、虫等の侵入も阻止できる。シートの側面は、不透明であるので、内部が透けて見える事がなく、プライバシーを確保する事ができる。シートの側面には、出入口が形成されているので、室内への出入りが行えると共に、ここを開放する事に依りシートの天面との間で通気路が形成されて通気性が向上される。シートの側面全体を捲り上げると、側面全体が開放されて更に通気性が向上される。
【０００８】
フレームは、枠状を呈してその大きさが拡縮可能な天枠体と、天枠体に高さ方向に伸縮可能に設けられた適数の支柱とを備えているのが好ましい。この様にすれば、シートをフレームに装着したままで全体を小さく且つ嵩低くする事ができる。その結果、一時的に保管する場合には、邪魔にならず、再び使用する際も迅速に復帰する事ができる。又、フレームの全高を低くできるので、低い位置からシートをフレームに被せる事ができ、この種の作業が容易に行える。
【発明の効果】
【０００９】
本発明に依れば、次の様な優れた効果を奏する事ができる。
（１）  フレームとシートとで構成し、とりわけシートの天面を網目状にすると共に、シートの側面を不透明にし、シートの側面に少なくとも一つの出入口を形成したので、設営が容易で、通気性に優れ、それでいてプライバシーを確保する事ができる。
【発明を実施するための最良の形態】
【００１０】
以下、本発明の実施の形態を、図面に基づいて説明する。
図１は、本発明の屋内設置室を示す斜視図。図２は、シートを除いてフレームだけを示す図１と同様図。図３は、出入口を開いた状態を示す図１と同様図である。
【００１１】
屋内設置室１は、フレーム２とシート３とからその主要部が構成されている。
【００１２】
フレーム２は、箱状の空間Ａを形成するもので、この例では、フラット屋根（陸屋根）型で角箱状の空間Ａを形成するものにしてあり、四枠状を呈してその大きさが拡縮可能な天枠体４と、天枠体４の四隅に高さ方向に伸縮可能に設けられた四つの支柱５とを備えている。
【００１３】
天枠体４は、平面四枠状を呈する縦横の主梁材６と、各主梁材６の中間部同士を連結して平面十字状を呈する中間梁材７とを備えて居り、例えば特許第２６２５２５５号公報に記載されたものと略同様の構造（中央柱は割愛する）を呈している。
各主梁材６は、夫々二つの鋏型リンク８を連結体９に依り折畳可能に連結して構成されている。中間梁材７は、四つの鋏型リンク８の各一方が各主梁材６の中間部に前記連結体９に依り折畳可能に連結されていると共に、各他方同士が中央に集められて中央連結体１０に依り折畳可能に連結されている。
【００１４】
而して、天枠体４は、大きさが拡縮可能な如く、各主梁材６の四隅に位置する鋏型リンク８の上部が支柱５の上位に設けられた固定体１１に折畳可能に連結されていると共に、各主梁材６の四隅に位置する鋏型リンク８の下部が支柱５に昇降可能に設けられた可動体１２に折畳可能に連結されている。
支柱５は、天枠体４を連結する上位支柱１３と、これにテレスコープ式に摺動可能に設けられた下位支柱１４と、これの下部に着脱可能に設けられた座体１５とを備えている。
【００１５】
シート３は、フレーム２に被せられてこれの天面Ｂと側面Ｃを覆い、天面（天面シート）１６が網目状であると共に、側面（側面シート）１７が不透明であり、側面１７には、少なくとも一つの出入口１８が形成されているもので、この例では、フレーム２の天面Ｂ（つまり天枠体４の上面）を覆って方形を呈する単一の天面シート１６と、これの端縁に一体的に縫合されて且つ隣接するもの同士も一体的に縫合されてフレーム２の側面Ｃ（つまり隣接する支柱５間）を覆って方形を呈する四つの側面シート１７とを備えている。
【００１６】
天面シート１６は、蚊帳生地や寒冷紗やレース生地等で作製されて居り、通気性や採光性に優れたものが用いられる。側面シート１７は、テント生地等で作製されて居り、不透明性に優れたものが用いられる。何れのシート１６，１７も、屋内で用いられるので、テントシートの様に防水処理を施す必要がない。
各側面シート１７の中央には、下端から上端近傍まで切断された切断箇所にスライドファスナ１９を設ける事に依り出入口１８が形成されている。
各側面シート１７のスライドファスナ１９近傍の下位には、出入口１８を開いた際の隣接する側面シート１７同士を接着する為の面ファスナ２０が設けられている。必要に応じて、隣接する側面シート１７の境の固定箇所にも、面ファスナを設けて置いても良い。
【００１７】
次に、この様な構成に基づいてその作用を述解する。
フレーム２は、天枠体４を最大限拡げないと共に、支柱５を短縮した状態にされて任意の位置に置かれる。そして、この様なフレーム２にシート３が被せられると共に、シート３の位置が整えられた後に、フレーム２の天枠体４が最大限拡げられて支柱５が伸長される（図１参照）。
シート３をフレーム２に被せるだけでフレーム２の天面Ｂと側面Ｃを覆う事ができるので、シート３の装着が容易になり、延いては屋内設置室１の設営が容易に行える。
【００１８】
シート３の天面シート１６が網目状にしてあるので、通気性や採光性が向上される。勿論、虫等の侵入も阻止できる。シート３の側面シート１７は、不透明であるので、内部が透けて見える事がなく、プライバシーを確保する事ができる。
シート３の各側面シート１７には、一つづつ合計四つの出入口１８が形成されているので、これらを利用して室内つまり空間Ａへの出入りが行えると共に、ここを開放する事に依りシート３の天面シート１６との間や出入口１８同士間で通気路が形成されて通気性が向上される。この場合、面ファスナ２０を利用して側面シート１６を固定箇所に止めて置く（図３参照）。シート３の側面シート１７全体を捲り上げると、フレーム２の側面Ｃ全体が開放されて更に通気性が向上される。この場合、図略しているが、バンドや面ファスナ等を用いて捲り上げた側面シート１７を同状態に保持するのが好ましい。
【００１９】
シート３をフレーム２に装着したままで全体を小さく且つ嵩低くする事ができるので、一時的に保管する場合に邪魔にならず、再び使用する際も迅速に復帰させる事ができる。
又、フレーム２の全高を低くできるので、低い位置からシート３をフレーム２に被せる事ができ、この種の作業が容易に行える。
【００２０】
尚、フレーム２は、先の例では、角箱状の空間Ａを形成するものであったが、これに限らず、例えば丸箱状の空間等を形成するものでも良い。
フレーム２は、先の例では、枠状を呈してその大きさが拡縮可能な天枠体４と、天枠体４に高さ方向に伸縮可能に設けられた適数の支柱５とを備えていたが、これに限らず、例えば特開２００２−１３８７１３号公報に記載されている如く、枠状を呈して大きさが一定な天枠体と、天枠体に折畳可能に設けられた適数の柱体とを備えたものや、枠状を呈して大きさが一定な天枠体と、天枠体に折畳可能で且つ高さ方向に伸縮可能に設けられた適数の柱体とを備えたものでも良い。
出入口１８は、先の例では、各側面シート１７に一つづつ合計四つ設けたが、これに限らず、例えばこれ以外の数でも良い。
出入口１８は、先の例では、側面シート１７の中央に形成したが、これに限らず、例えば実公平７−２１７５６号公報に記載されている如く、隣接する側面シート１７間にスライドファスナを介設して出入口１８形成しても良い。
【図面の簡単な説明】
【００２１】
【図１】本発明の屋内設置室を示す斜視図。
【図２】シートを除いてフレームだけを示す図１と同様図。
【図３】出入口を開いた状態を示す図１と同様図。
【符号の説明】
【００２２】
１…屋内設置室、２…フレーム、３…シート、４…天枠体、５…支柱、６…主梁材、７…中間梁材、８…鋏型リンク、９…連結体、１０…中央連結体、１１…固定体、１２…可動体、１３…上位支柱、１４…下位支柱、１５…座体、１６…天面（天面シート）、１７…側面（側面シート）、１８…出入口、１９…スライドファスナ、２０…面ファスナ、Ａ…空間、Ｂ…天面、Ｃ…側面。
【図１】
2005155062.tif 000003
【図２】
2005155062.tif 000004
【図３】
2005155062.tif 000005